(57)【要約】【課題】側面桿ユニットの上部を平坦にすることで、掛かる力が集中するのを防止し、テントに水が溜まって破損するのを防止するテントのフレーム桿を提供する。      【解決手段】テントのフレーム桿は、主に立柱、側面桿ユニットと最上桿ユニットから構成される。この最上桿ユニットの一端に立柱の最上端を枢設し、別一端は枢設してひとつにする。側面桿ユニットは隣合う二本の立柱の間で枢設し、そのうち側面桿ユニットは少なくとも二本の“＿／￣”型折桿が交差枢設し、側面桿の上部を平直状にする。【選択図】図２
0003124755.tif 000002
【実用新案登録請求の範囲】
【請求項１】
主に立柱、側面桿ユニットと最上桿ユニットから構成されたテントのフレーム桿において、
最上桿ユニットの一端は立柱最上端に枢設し、別一端はひとつに枢設し、また、側面桿ユニットは隣合う二本の立柱の間で枢設し、側面桿ユニットは少なくとも、二本の“＿／￣”型折桿が交差枢設し、テント側辺上部を平直状にすることを特徴とするテントのフレーム桿。
【請求項２】
前記最上桿ユニットは、少なくとも二本の“＿／￣”型折桿が交差枢設し、各上下対応する二本の折桿中間でひとつに枢設されることを特徴とする請求項１記載のテントのフレーム桿。
【考案の詳細な説明】
【技術分野】
【０００１】
本考案は、テントのフレーム桿に関するもので、テント最上が平直状である構造である。
【背景技術】
【０００２】
公知のテントのフレーム桿構造は図１に示すとおりであるが、主に立柱１´、側面桿ユニット２´及び最上桿ユニット３´から構成される。この最上桿ユニット３´の一端は立柱１´の最上端に枢設され、別一端は最上桿をひとつに枢設する。側面桿ユニット２´は隣合う二本の立柱１´の間に枢設され、その各部分の構造は多種多様であり、それによってテントの形態も千差万別になる。
【０００３】
しかしながら、一般のテントの側面桿ユニット２´はすべて直桿２１´が交差枢設して構成されている。この種の側面桿ユニット２´の直桿２１´が交差した先端は明らかな突起状を形成して支える。布をテント桿に被せた時、突起した直桿２１´最上端が凹凸のある平らでないテントを支え、テント側面の高低起伏状になり、テント重量全体をこれらの突起点で集中して支えるため、かかる力が平均せず、テントが破損することもある。更に雨水はテントの凹部にたまりやすく、大きなテントでは雨水が原因で破損することもある。
【考案の開示】
【考案が解決しようとする課題】
【０００４】
解決しようとする問題点は、直桿の構造によって、布を被せた時、凹凸形状になり、テント全体の重量を凹凸の凸部が支えるため、全体の力が平均しないため、破損しやすい点である。
【課題を解決するための手段】
【０００５】
本考案は、主に立柱、側面桿ユニットと最上桿ユニットから構成される。この最上桿ユニットの一端に立柱の最上端を枢設し、別一端は枢設してひとつにする。側面桿ユニットは隣合う二本の立柱の間で枢設し、そのうち側面桿ユニットは少なくとも二本の“＿／￣”型折桿が交差枢設し、側面桿の上部を平直状にすることを最も主要な特徴とする。
【考案の効果】
【０００６】
本考案のテントのフレーム桿は、側面桿ユニットの上部を平坦にすることで、掛かる力が集中するのを防止し、且つテントに水が溜まって破損するのを防止するという利点がある。
【考案を実施するための最良の形態】
【０００７】
図２は、本考案のテントフレーム桿構造で、主に立柱１、側面桿ユニット２及び最上桿ユニット３から構成される。最上桿ユニットの一端は、立柱１の最上端は立柱１の最上端に枢設し、別一端は最上桿をひとつに枢設する。側面桿ユニット２は、隣合う二本の立柱１の間に枢設する。
【０００８】
本考案は、側面桿ユニット２が、少なくとも二本の“＿／￣”型折桿２１が交差して枢設する。この折桿２１の本数は、テントの大きさによって決定するが、すべて偶数本である。図２に示すテントの側面桿ユニット２は、６本の“＿／￣”型折桿２１が交差して枢設しているが、そのうち、上下対応する二本の折桿２１の中間は、各々ひとつに枢設され、左右隣合う二本の折桿２１の前後がひとつに枢設され、テント側辺は平直状を形成する。二本、四本もしくは六本以上の折桿２１の枢設方法は本実施例とよく似ているため、ここでは説明しない。
【０００９】
この構造は、側面桿ユニット２を構成するユニットの形状を変更し、公知の技術である直桿２１´を折桿２１に変えることにより、最上端が水平に枢設される。そのため枢設された側面桿ユニット２の上辺が直線状になり、布をテントフレームに被せた時、直線状の側面桿ユニット２が平直な側辺がテントを全体で支え、重量が均一に分散される。また平直のテントであるため、水が溜まって破損することを防止する。
【００１０】
本考案の側面桿ユニット２構造は、最上桿ユニット３でも運用され、その構造と側面ユニット２とよく似ている（図未提示）。このように最上桿ユニット３は少なくとも二本の“＿／￣”型折桿が交差して枢設し、八本以上の“＿／￣”型折桿が交差して枢設する。折桿の本数はテントの大きさによって決定するが、上下対応する二本の折桿の中間がひとつに枢設され、テントの中心箇所は、上方の四本の折桿端部で枢設して一つになる。またテントの中心箇所は上方で四本の折桿端部がひとつに枢設され、四本の折桿の下方もひとつに枢設される。最上桿ユニット３の形状を変えることにより、公知の直桿を折桿に変え、各ユニットはテント最上で枢設するため、枢設した最上桿ユニット３の上辺は直線状を形成し、公知の突起状のように布を覆った時、直線状の最上桿ユニット３と側面桿ユニット２が平らにテントを支える
【００１１】
本考案は各種テントに適用され、現在の側面桿ユニット２と最上桿ユニット３に変えることができる。テントの具体的構造は、本実施例に制限されない。
【図面の簡単な説明】
【００１２】
【図１】公知の側面桿構造指示図である。
【図２】本考案の側面桿構造指示図である。
【符号の説明】
【００１３】
[公知]
１´      立柱
２´      側面桿ユニット
２１´      直桿
３´      最上桿ユニット
[本考案]
１        立柱
２        側面桿ユニット
２１        折桿
３        最上桿ユニット
【図１】
0003124755.tif 000003
【図２】
0003124755.tif 000004
【手続補正書】
【提出日】平成18年6月22日(2006.6.22)
【手続補正１】
【補正対象書類名】実用新案登録請求の範囲
【補正対象項目名】全文
【補正方法】変更
【補正の内容】
【実用新案登録請求の範囲】
【請求項１】
主に立柱、側面桿ユニットと最上桿ユニットから構成されたテントのフレーム桿において、
最上桿ユニットの一端は立柱最上端に枢設し、別一端はひとつに枢設し、また、側面桿ユニットは隣合う二本の立柱の間で枢設し、側面桿ユニットは少なくとも、二本の逆Ｚ型折桿が交差枢設し、テント側辺上部を平直状にすることを特徴とするテントのフレーム桿。
【請求項２】
前記最上桿ユニットは、少なくとも二本の逆Ｚ型折桿が交差枢設し、各上下対応する二本の折桿中間でひとつに枢設されることを特徴とする請求項１記載のテントのフレーム桿。
【手続補正２】
【補正対象書類名】明細書
【補正対象項目名】０００５
【補正方法】変更
【補正の内容】
【０００５】
本考案は、主に立柱、側面桿ユニットと最上桿ユニットから構成される。この最上桿ユニットの一端に立柱の最上端を枢設し、別一端は枢設してひとつにする。側面桿ユニットは隣合う二本の立柱の間で枢設し、そのうち側面桿ユニットは少なくとも二本の逆Ｚ型折桿が交差枢設し、側面桿の上部を平直状にすることを最も主要な特徴とする。
【手続補正３】
【補正対象書類名】明細書
【補正対象項目名】０００８
【補正方法】変更
【補正の内容】
【０００８】
本考案は、側面桿ユニット２が、少なくとも二本の逆Ｚ型折桿２１が交差して枢設する。この折桿２１の本数は、テントの大きさによって決定するが、すべて偶数本である。図２に示すテントの側面桿ユニット２は、６本の逆Ｚ型折桿２１が交差して枢設しているが、そのうち、上下対応する二本の折桿２１の中間は、各々ひとつに枢設され、左右隣合う二本の折桿２１の前後がひとつに枢設され、テント側辺は平直状を形成する。二本、四本もしくは六本以上の折桿２１の枢設方法は本実施例とよく似ているため、ここでは説明しない。
【手続補正４】
【補正対象書類名】明細書
【補正対象項目名】００１０
【補正方法】変更
【補正の内容】
【００１０】
本考案の側面桿ユニット２構造は、最上桿ユニット３でも運用され、その構造と側面ユ
ニット２とよく似ている（図未提示）。このように最上桿ユニット３は少なくとも二本の
逆Ｚ型折桿が交差して枢設し、八本以上の逆Ｚ型折桿が交差して枢設する。
折桿の本数はテントの大きさによって決定するが、上下対応する二本の折桿の中間がひと
つに枢設され、テントの中心箇所は、上方の四本の折桿端部で枢設して一つになる。また
テントの中心箇所は上方で四本の折桿端部がひとつに枢設され、四本の折桿の下方もひと
つに枢設される。最上桿ユニット３の形状を変えることにより、公知の直桿を折桿に変え
、各ユニットはテント最上で枢設するため、枢設した最上桿ユニット３の上辺は直線状を
形成し、公知の突起状のように布を覆った時、直線状の最上桿ユニット３と側面桿ユニッ
ト２が平らにテントを支える